(57)【要約】【課題】蓋体の脱落を確実に防止することができ、しかも蓋体の着脱も容易な蓋付き箱体を提供する。【解決手段】ロータンクカバー本体部１００の前面下部の段部１０２に、該段部１０２の側面の下端から上面にかけて一連に形成された段部１０４が設けられており、この出入口１０４に、該出入口１０４を段部１０２の側面側から上面側にかけて一連に覆う蓋体１０５が装着されている。蓋体１０５の上縁部から突設された突片１０６が差込孔１１５から出入口１０４の上縁部の裏側に差し込まれ、該突片１０６の凹部１０７に凸部１１６が係合する。蓋体１０５の下部は、出入口１０４の下部の左右両側縁部に弾性的に係合した爪片１０８によって該出入口１０４に固定される。【選択図】図２
2006132270.tif 000002
【特許請求の範囲】
【請求項１】
少なくとも側面及び上面を有した箱体と、該側面の下端から該上面に一連に設けられた開口と、該開口を閉鎖する蓋体と
を有する蓋付き箱体であって、
該蓋体の上部に、該箱体上面の該開口の縁部下面に差し込まれる突片が設けられ、
該箱体上面の該開口の縁部に、該突片が挿通される差込孔が設けられていることを特徴とする蓋付き箱体。
【請求項２】
請求項１において、該蓋体の下部に、該開口の下部に弾性的に係合した係合部が設けられていることを特徴とする蓋付き箱体。
【請求項３】
請求項１又は２において、該開口の上縁部には、蓋体上縁が上側から重なる張出部が設けられており、
前記差込孔は該張出部に設けられていることを特徴とする蓋付き箱体。
【請求項４】
請求項３において、前記突片の上面と前記開口上縁部の下面との一方に凸部が設けられ、他方に該凸部に係合した凹部が設けられていることを特徴とする蓋付き箱体。
【請求項５】
請求項１ないし４のいずれか１項において、前記蓋体の下縁から下方へ、指先を引掛けるための凸部が突設されていることを特徴とする蓋付き箱体。
【請求項６】
請求項１ないし５のいずれか１項において、該箱体は洋風便器の後部上面に設置される便座ボックス又はロータンクカバーであることを特徴とする蓋付き箱体。
【発明の詳細な説明】
【技術分野】
【０００１】
本発明は蓋付き箱体に関するものであり、特に洋風便器の後部上面にカバーボックスあるいは便座ボックスなどのケーシングを設置し、このケーシング内に脱臭カートリッジ等を設置する場合に好適な蓋付き箱体に関する。
【背景技術】
【０００２】
洋風便器の後部上面にカバーボックスを設置し、このカバーボックス内にロータンクや温水洗浄装置などを設置したタイプの洋風便器設備が普及しつつある。
【０００３】
第７図はこの種の洋風便器設備の構成を示す透視斜視図である。図示の通り、洋風便器１０の後部上面のベースプレート１２上に温水タンク１４、ロータンク１６、温風乾燥装置１８、脱臭ファン２０等の機器が設置され、これらの機器を覆うようにタンクカバー２２がベースプレート１２上に設置されている。このタンクカバー２２とベースプレート１２とによってケーシングとしてのカバーボックスが構成されている。
【０００４】
このタンクカバー２２は、カバー本体部２４とカバーフタ２６とからなり、該カバーフタ２６には手洗鉢部２８及び手洗吐水口３４などが設けられている。カバー本体部２４の前部に便座３０及び便蓋３２が起倒方向回動可能に取り付けられている。
【０００５】
なお、前記脱臭ファン２０の排気は脱臭カートリッジ３６を通って脱臭処理された後、カバー本体部２４の下部の排気口３８を通ってトイレルーム内へ放出される。この従来例にあっては、後述の通りこの排気口３８を通して脱臭カートリッジ３６を取り替えるようになっており、排気口３８が取替口としても機能している。
【０００６】
ロータンク１６の前面に、各装置を制御する制御回路を搭載した回路基板４０が設置されている。
【０００７】
ロータンク１６内の水は、ハンドル４２又はモータ４４で開弁操作されるフロート弁装置（図示略）を介して洋風便器１０へ供給される。
【０００８】
ロータンク１６内には、ボールタップ４６から流出する清水を貯留するためのサービスタンク４８が設置されており、このサービスタンク４８内の清水が前記温水タンク１４へ供給される。この温水タンク１４内の温水は、ポンプ５０、メインバルブ５２及び切替バルブ５４を介して第１洗浄ノズル６０又は第２洗浄ノズル６２へ供給される。
【０００９】
このタンクカバー２２内にトイレルーム内の暖房用の温風ファン７０が設置されている。この温風ファン７０からの温風は洋風便器１０の後部側面に沿って吹き出る。
【００１０】
第８図の通り、前記排気口３８に蓋７４が着脱自在に装着されており、この蓋７４をあけることにより脱臭カートリッジ３６を取り出すことができる。なお、この蓋７４に排気用のスリット７４ａが設けられている。
【００１１】
上記従来の脱臭カートリッジの設置構造にあっては、蓋７４を出入口（排気口３８）に対し上から下に向って取り外すように構成しているため、運搬中や施工現場での組み立て途中で蓋７４が下方に脱落することがあった。この脱落を防止するためにテープを貼ることがあるが、手間がかかる。なお、トイレルームの清掃中に蓋に手などが当った場合にも、蓋が脱落するおそれがある。
【００１２】
特開２００３−１４７８３６号には、蓋の装着がしっかりしており、しかも蓋の取り外しも容易な脱臭カートリッジの設置構造として、第９，１０図に示す構造が記載されている。
【００１３】
第９図は同号公報の脱臭カートリッジの設置構造を備えたタンクカバーの側面の斜視図であり、前記第８図と同様の部分を示している。第１０図（ａ）はこの脱臭カートリッジの設置構造を示す分解斜視図、第１０図（ｂ）,（ｃ）は同（ａ）のＢ−Ｂ線及びＣ−Ｃ線に沿う部分の断面図である。
【００１４】
前記第７，８図と同様の形状のカバー本体部２４Ａにカバーフタ２６（この実施の形態では図示略）が被さることによりタンクカバー２２Ａが構成され、カバー本体部２４Ａに便座３０と便蓋３２とが起倒方向回動自在に取り付けられている。ベースプレート９０は洋風便器１０の後部上面に固定されている。タンクカバー２２Ａとベースプレート９０とが連結されることによりケーシングとしてのカバーボックスが構成される。
【００１５】
このカバー本体部２４Ａの側面下部に脱臭カートリッジ３６の出入口３８Ａが設けられており、この出入口３８Ａに蓋８０が装着される。
【００１６】
この蓋８０は、プレート状の蓋本体８１と、この蓋本体８１の上縁から上方に突設されたフック片８２と、蓋本体８１の下部からタンクカバー２２Ａの内方に向って突設された上片８３及び下片８４より成る挟持片とを備えている。出入口３８Ａの上縁部及び側縁部には、該蓋本体８１の上縁及び側縁が重なる段部７９が設けられている。蓋本体８１は、該段部７９に重なることにより、出入口３８Ａの周囲のカバー本体部２４Ａの外面と面一状となる。前記フック片８２は、出入口３８Ａの上縁部の裏側に差し込まれるように蓋本体８１の裏面から上方に突設されている。
【００１７】
下片８４は上片８３よりもベースプレート９０の厚み分だけ下位に配置されており、蓋８０が出入口３８Ａに装着されたときに上片８３はベースプレート９０の上面に重なり、下片８４はベースプレート９０の下面に重なり、これによって上片８３と下片８４との間にベースプレート９０の縁部が挟持される。
【００１８】
上片８３は蓋本体８１の両サイドに分れて１対設けられている。この上片８３の下面には凸部８３ａが設けられており、ベースプレート９０の上面に設けられた凹部９１に該凸部８３ａが係合可能となっている。
【００１９】
下片８４は蓋本体８１の幅方向の中央に１枚だけ設けられている。この下片８４は、先端側の薄肉部８４ａと、基端側の厚肉部８４ｂとからなる。厚肉部８４ｂは薄肉部８４ａよりも上方に突出している。この下片８４は、ベースプレートの９０の縁部の切欠部９２を通って段部９０ａに係合する。下片８４の厚肉部８４ｂと該切欠部９２とは同形状となっている。
【００２０】
この蓋８０は、フック片８２を出入口３８Ａの上縁裏側に差し込み、上片８３と下片８４とでベースプレート９０の縁部を挟持するように蓋本体８１の下部をベースプレート９０に突き当てるようにして出入口３８Ａに装着される。この装着完了時には、凸部８３ａが凹部９１に係合するので、蓋本体８１の下部がベースプレート９０から離反することがない。そして、上片８３と下片８４とによってベースプレート９０を挟持しているため、蓋８０が外れることが確実に防止される。
【００２１】
この蓋８０を出入口３８Ａから取り外すには、下片８４の下側に指を掛け、少し持ち上げるようにして蓋８０の下部を手前に引けばよい。これにより、凸部８３ａが凹部９１から離反し、蓋８０の下部が退動して上片８３及び下片８４がベースプレート９０から外れ、蓋８０が出入口３８Ａから取り外される。
【特許文献１】特開２００３−１４７８３６号公報
【発明の開示】
【発明が解決しようとする課題】
【００２２】
上記第９，１０図に示す特開２００３−１４７８３６号公報の場合、蓋８０の上片８３がベースプレート９１から離反した蓋装着途中時あるいは蓋取り外し途中時に蓋８０から手を離すと、蓋８０が脱落してしまう。また、清掃時に蓋８０の下部を誤って引っ張ったときにも蓋８０が脱落するおそれがある。
【００２３】
本発明は、蓋体の脱落を確実に防止することができ、しかも蓋体の着脱も容易な蓋付き箱体を提供することを目的とする。
【課題を解決するための手段】
【００２４】
本発明（請求項１）の蓋付き箱体は、少なくとも側面及び上面を有した箱体と、該側面の下端から該上面に一連に設けられた開口と、該開口を閉鎖する蓋体とを有する蓋付き箱体であって、該蓋体の上部に、該箱体上面の該開口の縁部下面に差し込まれる突片が設けられ、該箱体上面の該開口の縁部に、該突片が挿通される差込孔が設けられていることを特徴とするものである。
【００２５】
請求項２の蓋付き箱体は、請求項１において、該蓋体の下部に、該開口の下部に弾性的に係合した係合部が設けられていることを特徴とするものである。
【００２６】
請求項３の蓋付き箱体は、請求項１又は２において、該開口の上縁部には、蓋体上縁が上側から重なる張出部が設けられており、前記差込孔は該張出部に設けられていることを特徴とするものである。
【００２７】
請求項４の蓋付き箱体は、請求項３において、前記突片の上面と前記開口上縁部の下面との一方に凸部が設けられ、他方に該凸部に係合した凹部が設けられていることを特徴とするものである。
【００２８】
請求項５の蓋付き箱体は、請求項１ないし４のいずれか１項において、前記蓋体の下縁から下方へ、指先を引掛けるための凸部が突設されていることを特徴とするものである。
【００２９】
請求項６の蓋付き箱体は、請求項１ないし５のいずれか１項において、該箱体は洋風便器の後部上面に設置される便座ボックス又はロータンクカバーであることを特徴とするものである。
【発明の効果】
【００３０】
本発明の蓋付き箱体にあっては、蓋体上縁に設けられた突片が箱体の開口縁部の差込孔に挿通されており、蓋体は該突片が開口に対し吊支されている。このため、蓋体の脱落が確実に防止される。また、この蓋体に対し下向きに力が加えられても、蓋体が下方へずれ動いて箱体から外れることがない。
【００３１】
さらに、本発明の蓋付き箱体にあっては、蓋体は、箱体自体に対してのみ組付けられるため、該蓋体の箱体への組付性が向上する。
【００３２】
請求項２の通り、この蓋体の下部を弾性的に開口縁部に係合させることにより、蓋体が箱体にしっかりと留め付けられる。
【００３３】
請求項３の通り、張出部に設けた開口に差込孔を設け、蓋体を該張出部に上側から重ねた場合、蓋体の吊支姿勢が安定したものとなる。
【００３４】
請求項４の通り、突片と開口上縁部とを凹凸部により係合させたときには、蓋体下縁を手前に引いたときに、蓋体が該凹凸係合部付近を回動中心として下側がスイングするようになり、蓋体の脱着操作が容易となる。また、この凹凸係合により、蓋体に対し横方向（突片の差込孔からの抜け出し方向）に力が加えられても、蓋体が該横方向にずれ動いて箱体から外れることがない。
【００３５】
請求項５の通り、蓋体の下縁に凸部を下方へ突設した場合、この凸部に指先を引っ掛けて蓋体下部を手前に容易に引くことができる。
【００３６】
請求項６の通り、本発明は便座ボックスやロータンクカバーに適用するのに好適である。
【発明を実施するための最良の形態】
【００３７】
以下に、図面を参照して本発明の実施の形態について説明する。第１図は実施の形態に係る蓋付き箱体としての脱臭カートリッジ用蓋付きロータンクカバー本体部の斜視図、第２図はこのロータンクカバー本体部の脱臭カートリッジ出入口付近の斜視図（拡大図）、第３図はこの脱臭カートリッジ出入口付近のロータンクカバー本体部内側からの斜視図、第４図〜第６図は第２図のIV−IV線に沿う部分の断面図であり、それぞれ、蓋体装着前、蓋体装着途中時及び蓋体装着完了時を示している。
【００３８】
この実施の形態に係る蓋付き箱体としてのロータンクカバー本体部１００は、前述の第７，８図のカバー本体部２４と同様、洋風便器の後部上面のベースプレート上に設置されたロータンク、温水タンク、温風乾燥装置及び脱臭ファン等の機器を覆うように該ベースプレート上に取り付けられるロータンクカバーを構成するものである。
【００３９】
このロータンクカバー本体部１００も、上部にカバーフタ（図示略）が装着され、前面の下部には便座（図示略）及び便蓋（図示略）が起倒方向回動可能に取り付けられる。
【００４０】
なお、図示はしないが、該便座及び便蓋の後部の左右両端側からは、それぞれ、このロータンクカバー本体部１００への連結用のアームが後方へ向って突設されている（第８図及び第９図参照）。ロータンクカバー本体部１００の前面の下部中央付近には、この左右のアーム同士の間に入り込むように前方へ膨出した凸部１０１が形成されている。この凸部１０１の左右の側面には、それぞれ、各アームの回動軸が差し込まれる軸孔１０１ａが設けられている。
【００４１】
また、この凸部１０１の左右両側には、この凸部１０１に連結された便座が倒伏姿勢となっているときに該便座の各アームの下側の空間を埋めるように、該凸部１０１の上面よりも１段低く前方へ張り出した段部１０２が形成されている。この段部１０２の左右の側面はロータンクカバー１００の左右の側面と面一に連続しており、上面は前方へ向って低位となる傾斜面となっている。なお、この段部１０２は、凸部１０１の前側にまで形成されている。
【００４２】
この実施の形態では、該段部１０２の側部に脱臭カートリッジ１０３の出入口１０４が設けられており、この出入口１０４に蓋体１０５が装着されている。この出入口１０４は、段部１０２の側面の下端から上面にかけて一連に形成された開口よりなる。また、蓋体１０５は、この出入口１０４を段部１０２の側面側から上面側にかけて一連に覆う、Ｌ字形に曲成されたプレート状のものである。
【００４３】
この蓋体１０５の上縁部の裏面から、該出入口１０４の上縁部の裏側（下側）へ差し込まれる突片１０６が突設されている。この突片１０６には、後述の凸部１１６が係合する凹部１０７が設けられている。該凹部１０７は、この実施の形態では、突片１０６をその上面側から下面側へ貫通した貫通孔よりなる。
【００４４】
蓋体１０５の下部の左右両側縁部からは、出入口１０４内に差し込まれて該出入口１０４の下部の左右両側縁部に弾性的に係合する係合部としての爪片１０８，１０８が突設されている。
【００４５】
蓋体１０５の下縁部からは、この蓋体１０５の脱着時に指先等を引掛けるための凸部１０９が下方へ突設されている。
【００４６】
ロータンクカバー本体部１００の底部のうち、出入口１０４に臨む部分には、脱臭カートリッジ１０３を該出入口１０４から取り出す際に該脱臭カートリッジ１０３の下面に指先等を当てられるようにするための切欠き部１１１（第２図）が設けられている。蓋体１０５の裏面の下端付近からは、蓋体１０５を出入口１０４に装着した際にこの切欠き部１１１を塞ぐ閉鎖片１１０が突設されている。この閉鎖片１１０が切欠き部１１１を塞ぐことにより、該切欠き部１１１からの臭気の漏れが防止される。
なお、第３図に示すように、この閉鎖片１１０の上面からは、リブ状の起立片（符号略）が立設されている。この起立片は、蓋体１０５を出入口１０４に装着したときに脱臭カートリッジ１０３に対峙して該脱臭カートリッジ１０３を固定するものである。
【００４７】
出入口１０４の左右の側縁部には、蓋体１０５の左右の側縁部が重なる段部１１２が設けられている。この段部１１２の途中部には、前記爪片１０８の通過を許容する切欠部１１３が形成されている。また、出入口１０４の上縁部には、蓋体１０５の上縁部が重なる張出部１１４が設けられている。この張出部１１４は段部１１２と連続して設けられている。この張出部１１４には、前記突片１０６が差し込まれる差込孔１１５が形成されている。この段部１１２に蓋体１０５の左右の側縁部が重なると共に、張出部１１４に該蓋体１０５の上縁部が重なることにより、蓋体１０５の外面が凸部１０２の側面及び上面と面一状となる。
【００４８】
出入口１０４の上縁部の裏面には、この差込孔１１５から該上縁部の裏側に差し込まれた突片１０６の凹部１０７に係合する凸部１１６が下方へ向って突設されている。
【００４９】
この蓋体１０５を出入口１０４に装着する場合には、蓋体１０５の上縁部を張出部１１４の上側に重ねつつ、突片１０６を差込孔１１５に差し込んで出入口１０４の上縁部の裏側に配置し、凹部１０７に凸部１１６を係合させる。次に、この凹部１０７と凸部１１６との係合部付近を回動中心として蓋体１０５の下部を下方へスイングさせるようにして蓋体１０５を出入口１０４内に入り込ませる。この際、先に閉鎖片１１０が切欠き部１１１に係合することにより、蓋体１０５が出入口１０４内に導かれる。そして、該蓋体１０５の左右の側縁部をそれぞれ段部１１２に重ね、各爪片１０８を該出入口１０４の左右の側縁部に係合させる。これにより、蓋体１０５が出入口１０４に固定される。
【００５０】
蓋体１０５を取り外す場合には、蓋体１０５の下部の凸部１０９に指先を掛けて該蓋体１０５の下部を手前に引き上げ、各爪片１０８と出入口１０４の左右の側縁部との係合を解除させる。そして、そのまま蓋体１０５を凹部１０７と凸部１１６との係合部付近を回動中心として手前へスイングさせ、蓋体１０５を出入口１０４から引き出す。その後、突片１０６を下方へ引き下げるようにして凹部１０７から凸部１１６を離脱させつつ、突片１０６を差込孔１１５から引き抜き、蓋体１０５を取り外す。
【００５１】
このロータンクカバー本体部１００にあっては、蓋体１０５の上縁に設けられた突片１０６が出入口１０４の差込孔１１５に挿通されており、蓋体１０５は該突片１０６を介して出入口１０４の上縁部に吊支されている。このため、蓋体１０５の脱落が確実に防止される。また、この蓋体１０５に対し下向きに力が加えられても、蓋体１０５が下方へずれ動いて出入口１０４から外れることがない。
【００５２】
さらに、この蓋体１０５は、ロータンクカバー本体１００自体に対してのみ組付けられる（即ち、蓋体１０５は、ロータンクカバー本体１００と他の部材、例えば洋風便器本体等とにまたがって組み付けられるものではない）ため、該蓋体１０５のロータンクカバー本体１００への組付性が向上する。
【００５３】
また、この蓋体１０５の下部は、爪片１０８によって弾性的に出入口１０４の側縁部に係合されているので、蓋体１０５が出入口１０４にしっかりと留め付けられる。
【００５４】
この実施の形態では、出入口１０４の上縁部に張出部１１４を設け、この張出部１１４に対し、蓋体１０５を上側から重ねるようにしているので、蓋体１０５の吊支姿勢が安定したものとなる。
【００５５】
この実施の形態では、突片１０６を、凹部１０７と凸部１１６とを係合させることにより出入口１０４の上縁部に掛止しているので、蓋体１０５の下縁を手前に引いたときに、蓋体１０５が該凹部１０７と凸部１１６との係合部付近を回動中心として下側がスイングするようになり、蓋体１０５の脱着操作が容易となる。また、この凹凸係合により、蓋体１０５に対し横方向（突片１０６の差込孔１１５からの抜け出し方向）に力が加えられても、蓋体１０５が該横方向にずれ動いてロータンクカバー本体部１００から外れることがない。
【００５６】
この実施の形態では、蓋体１０５の下縁部に下方へ突出する凸部１０９が設けられているので、この凸部１０９に指先を引っ掛けて蓋体１０５の下部を手前に容易に引くことができる。
【００５７】
上記の実施の形態は本発明の一例を示すものであり、本発明は上記の実施の形態に限定されるものではない。例えば、突片１０６に凸部を設け、出入口１０４の上縁部の裏側に、この凸部が係合する凹部を設けてもよい。
本発明は、ロータンクカバー以外の箱体にも適用できる。
【図面の簡単な説明】
【００５８】
【図１】実施の形態に係る蓋付き箱体としての脱臭カートリッジ用蓋付きロータンクカバー本体部の斜視図である。
【図２】ロータンクカバー本体部の脱臭カートリッジ出入口付近の斜視図である。
【図３】脱臭カートリッジ出入口付近のロータンクカバー本体部内部側からの斜視図である。
【図４】図２のIV−IV線に沿う部分の断面図である。
【図５】図２のIV−IV線に沿う部分の断面図である。
【図６】図２のIV−IV線に沿う部分の断面図である。
【図７】従来例を示す洋風便器設備の透視斜視図である。
【図８】図７の従来例における脱臭カートリッジの取替方法を示す斜視図である。
【図９】別の従来例に係る脱臭カートリッジの設置構造を示すタンクカバー下部の斜視図である。
【図１０】図９のタンクカバーから蓋を外した状態の斜視図と断面図である。
【符号の説明】
【００５９】
１０  洋風便器
１２  ベースプレート
１４  温水タンク
１６  ロータンク
１８  温風乾燥装置
２０  温風ファン
２４，２４Ａ  カバー本体部
３６  脱臭カートリッジ
３８Ａ  出入口
７４  蓋
１００  ロータンクカバー本体部
１０３  脱臭カートリッジ
１０４  出入口
１０５  蓋体
１０６  突片
１０７  凹部
１０８  爪片
１０９  凸部
１１４  張出部
１１５  差込口
１１６  凸部
【図１】
2006132270.tif 000003
【図２】
2006132270.tif 000004
【図３】
2006132270.tif 000005
【図４】
2006132270.tif 000006
【図５】
2006132270.tif 000007
【図６】
2006132270.tif 000008
【図７】
2006132270.tif 000009
【図８】
2006132270.tif 000010
【図９】
2006132270.tif 000011
【図１０】
2006132270.tif 000012